(57)【要約】【課題】携帯端末でのＵＲＬの入力は、複雑で面倒である。【解決手段】放送局１０から、電子メール配信条件を入力するための入力画面情報を放送し、表示装置５２で表示し、セットトップボックス５１で入力された電子メール配信条件をセンタサーバ３１を介して情報管理サーバ１２で受け付け、前記受け付けた電子メール配信条件にしたがってメール配信サーバ１４から電子メール受信装置５３で電子メールを送信する。【選択図】      図１
2005078106.tif 000002
【特許請求の範囲】
【請求項１】
電子メール配信条件を入力するための入力画面情報を放送し、
入力された電子メール配信条件を受け付け、
前記受け付けた電子メール配信条件にしたがって電子メールを送信する情報配信方法。
【請求項２】
電子メール配信条件を入力するための入力画面を生成し、入力された電子メール配信条件をサーバに送信するデジタル放送データコンテンツ。
【発明の詳細な説明】
【０００１】
【発明の属する技術分野】
本発明は、情報配信方法、及び、デジタル放送データコンテンツに関する。
【０００２】
【従来の技術】
スポーツ中継などの生放送は、テレビなどを視聴することによって情報を得ている。
【０００３】
また、放送局などが運営するＷＥＢ上で情報を得ることも可能である。この時には、視聴者が放送中にＵＲＬ等を手書きで記録し、記録した情報に基づいて視聴者がＵＲＬ入力して情報を閲覧したり、視聴者自身の電子メールアドレスをメーリングリストに登録したりして情報の配信を受けている（例えば、特許文献１）。
【０００４】
【特許文献１】
特開２００３−２０３０３５号公報
【０００５】
【発明が解決しようとする課題】
全ての視聴者が中継中にテレビを視聴することは、日常生活の中で不可能な場合がある。
【０００６】
そういった状況下でインターネットを利用した情報提供が重要となるが、番組中に告知されるＵＲＬ等の情報の手書きは視聴者に少なからぬ負担であり、誤記する場合もある。
【０００７】
電子メールを読むことは可能であるが、キーボード使ったＵＲＬや電子メールアドレスなどの文字入力が苦手な視聴者も存在する。
【０００８】
また、携帯端末でのＵＲＬの入力やメーリングリストへの登録手続きが複雑で面倒である。
【０００９】
これらを鑑みテレビを視聴中に、視聴者自身の電子メール装置へ欲しい情報を簡単な操作で配信することを課題としている。
【００１０】
【課題を解決するための手段】
上記問題を解決するにあたり、デジタルデータ放送により放送端末装置に電子メール送信条件の設定機能を実現させ、リモコンによる簡単な操作でテレビ放送とリンクした情報を視聴者に提供しようとするものである。
【００１１】
【発明の実施の形態】
図１に、実施の形態に係るデジタル放送システムの全体構成を示す。
【００１２】
デジタル放送局１０は、テレビ放送番組（本編番組）やデータ放送番組を構成するデジタルデータを、ＭＰＥＧ２−ＴＳを利用したデジタル伝送方式で、アンテナ７０から衛星８０を介して放送する。データ放送データは、画像データ（静止画／動画）、文字データ、音声データ、制御プログラム（スクリプト）などにより構成される。
【００１３】
デジタル放送局１０は、電子メール配信条件を入力するための入力画面情報をアンテナ７０からセットトップボックス５１に放送し、セットトップボックス５１で入力された電子メール配信条件を情報管理サーバ１２で受け付け、前記受け付けた電子メール配信条件にしたがってメール配信サーバ１４から電子メールを送信する情報配信方法を実行する。
【００１４】
視聴者の放送端末装置であるセットトップボックス（受信機）５１で復調された映像、音声とデータ放送は放送番組として視聴者の表示装置５２で表示される。
【００１５】
セットトップボックス５１は、接続された回線（公衆回線またはインターネット回線など）４０を利用して、放送局１０の双方向センタ３０と通信を行なう。
【００１６】
双方向センタ３０のセンタサーバ３１では、各視聴者のセットトップボックス５１からの通信を着信する複数のポートを備え通信を行なう。また、センタサーバ３１と放送局１０の情報管理サーバ１２は、回線（専用回線またはインターネット回線など）２０経由で、接続されている。
【００１７】
放送局１０のメール配信サーバ１４は、インターネット回線６０に接続されおり、電子メールの送信が可能となっている。
【００１８】
視聴者の電子メール受信機５３は、インターネット６０に接続されており、電子メールの受信が可能となっている。
【００１９】
放送局１０から、電子メール配信条件を入力するための入力画面情報を放送し、表示装置５２で表示し、セットトップボックス５１で入力された電子メール配信条件をセンタサーバ３１を介して情報管理サーバ１２で受け付け、前記受け付けた電子メール配信条件にしたがってメール配信サーバ１４から電子メール受信装置５３で電子メールを送信する。
【００２０】
図２に、実施の形態に係るデジタル放送送信装置（放送装置）１１の内部構成を示す。
【００２１】
映像音声データ制作装置１０１で制作された放送の本編は、映像音声データ保持装置１０２にデジタルデータ形式（ＭＰＥＧ２等）で蓄積される。
【００２２】
データ放送用コンテンツであるＢＭＬ（Ｂｒｏａｄｃａｓｔｉｎｇ  Ｍａｒｋｕｐ  Ｌａｎｇｕａｇｅ）は、データ放送制作装置１１１で制作され、データ放送保持装置１１３にデジタルデータ形式蓄積される。保持されているデータ放送用データは、データ放送更新装置１１２により放送中に逐次更新可能である。
【００２３】
予めスケジュールされた放送情報によって、映像音声データ保持装置１０２とデータ放送保持装置１１３に蓄積されている各番組データは、多重化装置１２１を介して１つのデジタルデータ形式となり変調装置１２２および送信装置１２３により電波として送信される。
【００２４】
図３に、実施の形態に係るデジタル放送受信装置（セットトップボックス）５１のハードウェア構成を示す。
【００２５】
図示しないアンテナより受信した電波は、チューナ部２０１で選局され復調部２０２で映像（本編映像）データと音声（本編音声）データ、データ放送用データ（ＢＭＬコンテンツ）などに分離される。
【００２６】
映像（本編映像）データ（ＭＰＥＧ２等）は、映像・信号処理部２０４でデコードされ、映像信号として出力される。
【００２７】
音声（本編音声）データ（ＭＰＥＧ２−ＡＡＣ等）は、音声処理部２０３でデコードされ、音声信号として出力される。
【００２８】
データ放送用データ（ＢＭＬコンテンツ）は、ＲＡＭ２０９上に展開され、セットトップボックス５１上のＲＯＭ２０８に格納されているブラウザプログラムによってＣＰＵ２０５上で実行される。
【００２９】
セットトップボックス５１は、外部入出力インターフェース２０７により、リモコン２２０からの信号を受信して、データ放送の制御プログラム（スクリプト）に記述された処理を実行する。
【００３０】
ブラウザによって処理されたデータ放送の画像は、映像・信号処理部２０４で映像（本編映像）と合成処理を行なった上で、映像信号として出力される。同様にブラウザによって処理されたデータ放送の音声も音声処理部２０３で音声（本編音声）と合成され音声信号として出力される。
【００３１】
出力された映像信号と音声信号は、表示装置（一般的なテレビジョン受信機）５２で視聴可能となる。
【００３２】
セットトップボックス５１と表示装置（テレビジョン受信機）５２の構成を示しているが、セットトップボックス５１の機能を内蔵したテレビジョン受信機であってもよい。
【００３３】
また、内蔵されているＭｏｄｅｍ２０６により公衆回線４０経由双方向センター３０との通信を行なう。
【００３４】
図９に、セットトップボックス５１の処理フローを示す。この処理フローは、ＲＡＭ２０９上に展開され、ＲＯＭ２０８に格納されているブラウザプログラムによってＣＰＵ２０５により実行されるプログラムであるデータ放送用データ（ＢＭＬコンテンツ）の一部を示す。このデータ放送用データ（ＢＭＬコンテンツ）は、データ放送製作装置１１１により製作され、データ送信装置１２３から送信され、チューナ２０１受信され、ＲＡＭ２０９上に展開される。
【００３５】
視聴者が操作するリモコン２２０で、データ放送データコンテンツがブラウザにより処理され、表示装置５２に図４のような画面を表示する（Ｓ３０１）。この時、テレビジョン本編映像は左上部分４０１に縮小表示となり、メールの配信条件を選択するボタン４０２、４０３、４０４が表示される。
【００３６】
メール配信の条件設定（ボタン４０２、４０３、４０４）をリモコン操作で選択すると（Ｓ３０２）、選択されたその条件で図５の配信開始終了日指定、図６の配信日と試合指定、図７のチーム指定などの次画面が画面される。ここで、チームは、対象が、高校野球であれば、高校名である。
【００３７】
各画面で配信条件と配信先の電子メールアドレスをリモコンによって入力する（Ｓ３０３、Ｓ３０４）。
【００３８】
入力された配信条件と電子メールアドレスは、妥当性のチェックを受ける（Ｓ３０５）。
【００３９】
チェック内容がＯＫであれば双方向センタ３０に回線を接続し、入力された配信条件等を電文として送信する（Ｓ３０６）。
【００４０】
双方向センタ３０では、視聴者宅のセットトップボックス５１からの通信を受付け、予め登録されている会員情報と照合の後に要求電文を受け付ける。
【００４１】
受け付けられた要求電文は、放送局１０の情報管理サーバ１２に送信され、視聴者の電子メールアドレスや配信日時などの条件を配信情報データベース１３に図８で示すようなデータベース構成で格納する。
【００４２】
以上のように、図９は、電子メール配信条件を入力するための入力画面を生成し（Ｓ３０１）、入力された電子メール配信条件をサーバに送信する（Ｓ３０６）デジタル放送データコンテンツである。
【００４３】
図５、図６、図７の配信条件の入力項目内容は、あくまでも一例であり、他の条件も付け加えることも可能である。同様に図８で示したデータベース構成も一例である。
【００４４】
図１０に、メール配信サーバ１４の処理フローを示す。メール配信サーバ１４は、周知のコンピュータの構成を有し、図３のＣＰＵ２０５、Ｍｏｄｅｍ２０６、ＲＯＭ２０８、ＲＡＭ２０９などを含む。この処理フローは、メール配信サーバ１４のＲＯＭ２０８に格納され、ＣＰＵ２０５により実行されるプログラムの一部を示す。
【００４５】
不図示の入力端末から、試合終了、イニング終了、得点のデータなどのデータが入力された時に、放送局１０のメール配信サーバ１４は、図８で示したデータベース構成に相当する配信属性（配信日時やチーム番号、送信タイミングなど）と、送信される電子メールの本文（チーム名、得点、試合結果など）によって構成されている（配信されるメールの）元情報を作成し、１件の（配信されるメールの）元情報に対して、以下の処理を行なう。
【００４６】
（配信されるメールの）元情報を読み込み、その中から配信属性（配信日時やチーム番号、送信タイミングなど）を抽出する（Ｓ４０１）。
【００４７】
抽出した配信属性（配信日時やチーム番号、送信タイミングなど）をキーとして、配信情報データベース１３を検索し、該当レコードのＥ（電子）メールアドレスを抽出する（Ｓ４０２）。配信情報データベース１３には、セットトップボックス５１から登録されたメール配信条件やメールアドレスが登録されている。
【００４８】
元情報の中の電子メール本文を、抽出したＥ（電子）メールアドレスに対して電子メールとして送信する（Ｓ４０３）。
【００４９】
したがって、（配信されるメールの）元情報の配信属性（配信日時、チーム、配信タイミング）が、セットトップボックス５１から登録されたメール配信条件（配信タイミング、配信開始終了日、配信日と試合、チームなど）にあっていれば、セットトップボックス５１から登録されたメールアドレスに、チーム名、得点、試合結果などを含むメールを配信する。すなわち、セットトップボックス５１から登録されたメール配信設定で設定されたメール配信開始終了日、設定された試合、設定されたチームの試合結果、途中経過を、セットトップボックス５１から登録されたメール配信設定で設定された配信タイミング（試合終了時、イニング毎、得点時）に、対応して登録されているアドレスに、電子メールで配信する。
【００５０】
この処理を該当するレコードがなくなるまで繰り返す（Ｓ４０４）。
【００５１】
メール配信サーバ１４によって送信された電子メールは、インターネット６０を介して視聴者の電子メール受信装置５３に配信され、視聴者は情報を得ることが出来る。
【００５２】
【発明の効果】
視聴者の誰もが簡単にメールによるリアルタイムな情報を入手できるようになる。
【図面の簡単な説明】
【図１】実施の形態に係るデジタル放送システムの全体構成を示す図である。
【図２】実施の形態に係るデジタル放送送信装置の内部構成を示す図である。
【図３】実施の形態に係るデジタル放送受信装置（セットトップボックス）のハードウェア構成を示す図である。
【図４】視聴者の表示装置に配信条件を選択する画面の一例を示す図である。
【図５】視聴者の表示装置に配信開始終了日時を指定して入力する画面の一例を示す図である。
【図６】視聴者の表示装置に配信日時と試合を指定して入力する画面の一例を示す図である。
【図７】視聴者の表示装置にチームを指定して入力する画面の一例を示す図である。
【図８】視聴者からに送信されたデータを配信情報データベースに格納したデータの一例を示す図である。
【図９】視聴者の表示装置（セットトップボックス）内での処理を示すフローチャートである。
【図１０】メール配信サーバ内での処理を示すフローチャートである。
【符号の説明】
１０  放送局
１４  メール配信サーバ
５１  セットトップボックス
５３  電子メール受信装置
【図１】
2005078106.tif 000003
【図２】
2005078106.tif 000004
【図３】
2005078106.tif 000005
【図４】
2005078106.tif 000006
【図５】
2005078106.tif 000007
【図６】
2005078106.tif 000008
【図７】
2005078106.tif 000009
【図８】
2005078106.tif 000010
【図９】
2005078106.tif 000011
【図１０】
2005078106.tif 000012